(57)【要約】  コネクタは、オス側内腔部を有する管状のオスコネクタ部と、オス側内腔部と連通するメス側内腔部を有し、メス側内腔部にオスコネクタ部と同様の他のオスコネクタ部が接続可能な管状のメスコネクタ部とを有する第１の構造体と、第１の構造体に装着可能な装着部と、第１の構造体に装着された装着状態でオスコネクタ部と接続方向が互いに平行となるように隣接して配置されるオスロック部と、装着状態でメスコネクタ部と接続方向が互いに平行となるように隣接して配置され、オスロック部と同様の他のオスロック部が連結可能なメスロック部とを有する第２の構造体とを備え、第１の構造体は、それを使用する際、第２の構造体を装着して使用されるかまたは第２の構造体を装着せずに使用されるかを選択し得るよう構成されている。
2008062742.tif 000002
【特許請求の範囲】
【請求項１】
オス側内腔部を有する管状のオスコネクタ部と、前記オス側内腔部と連通するメス側内腔部を有し、当該メス側内腔部に前記オスコネクタ部と同様の他のオスコネクタ部が接続可能な管状のメスコネクタ部とを有する第１の構造体と、
前記第１の構造体に装着可能な装着部と、前記第１の構造体に装着された装着状態で前記オスコネクタ部と接続方向が互いに平行となるように隣接して配置されるオスロック部と、前記装着状態で前記メスコネクタ部と接続方向が互いに平行となるように隣接して配置され、前記オスロック部と同様の他のオスロック部が連結可能なメスロック部とを有する第２の構造体とを備え、
前記第１の構造体は、それを使用する際、前記第２の構造体を装着して使用されるかまたは前記第２の構造体を装着せずに使用されるかを選択し得るよう構成されていることを特徴とするコネクタ。
【請求項２】
前記第１の構造体は、該第１の構造体を使用する際のその相手体が前記他のオスコネクタ部と前記他のオスロック部とを有するものである場合には、前記第２の構造体を装着して使用される請求項１に記載のコネクタ。
【請求項３】
前記メスコネクタ部の外周部には、ネジ部が形成されている請求項１に記載のコネクタ。
【請求項４】
前記オスコネクタ部には、該オスコネクタ部の開口部との中心軸同士がほぼ直交する、外形がほぼ柱状をなす柱状部が形成されており、
前記装着部は、前記オスロック部近傍に形成された、前記柱状部が嵌合可能な凹部と、前記オスコネクタ部が挿通可能な孔を有する板片で構成されている請求項１に記載のコネクタ。
【請求項５】
前記装着部は、前記メスコネクタ部の外周部が嵌合可能なリング状をなすリング状部で構成されている請求項１に記載のコネクタ。
【請求項６】
前記オスロック部は、オス側係合部が設けられ、互いに接近・離間可能な一対の爪部と、該両爪部が互いに離間するように付勢する付勢部とを有しており、
前記メスロック部は、前記オスロック部と同様の他のオスロック部のオス側係合部と係合可能なメス側係合部と、該オスロック部の両爪部を互いに接近させるように操作可能な操作部とを有する請求項１に記載のコネクタ。
【請求項７】
前記各爪部は、それぞれ、前記装着状態で前記オスコネクタ部と同方向に突出したものである請求項６に記載のコネクタ。
【請求項８】
前記各爪部は、それぞれ、前記装着状態で前記オスコネクタ部と反対方向に突出したものである請求項６に記載のコネクタ。
【請求項９】
前記メスコネクタ部と前記オスコネクタ部とは、それらの中心線が互いに平行で、かつ、前記メスコネクタ部の開口部と前記オスコネクタ部の開口部とが互いに反対の方向を向くように配置されている請求項１に記載のコネクタ。
【請求項１０】
前記メスコネクタ部と前記オスコネクタ部とは、それらの中心線が互いにほぼ直交するように配置されている請求項１に記載のコネクタ。
【請求項１１】
オス側内腔部を有する管状のオスコネクタ部を有する第１の構造体と、
前記第１の構造体に装着可能な装着部と、前記第１の構造体に装着された装着状態で前記オスコネクタ部と接続方向が互いに平行となるように隣接して配置されるオスロック部とを有する第２の構造体とを備え、
前記第１の構造体は、それを使用する際、前記第２の構造体を装着して使用されるかまたは前記第２の構造体を装着せずに使用されるかを選択し得るよう構成されていることを特徴とするコネクタ。
【発明の詳細な説明】
【技術分野】
【０００１】
本発明は、コネクタに関する。
【背景技術】
【０００２】
輸液、輸血、栄養投与等に用いる液体の流路接続を必要とする医療用具においては、薬液、血液、流動食等の液体を持続的、一時的に流す際、液体の流路（回路）の接続、脱離を必要に応じて行う必要がある。このとき、回路の途中に液体の流路同士を接続する接続具を取り付けることが知られている。このような接続具の代表的なものとしては、例えば、特許文献１に記載されたものがある。【０００３】
この接続具（コネクタ）は、オスコネクタ部と、メスコネクタ部と、オスロック部と、メスロック部とを有するものである。このような構成の接続具では、オスコネクタ部と、メスコネクタ部と、オスロック部と、メスロック部とが互いに連結または一体的に形成されている。【０００４】
しかしながら、従来の（特許文献１に記載の）接続具では、接続具に接続される相手側のオスロック部やメスロック部の形状によっては、当該接続具と相手体とを接続するのが不可能となる場合があった。接続が不可能な場合、前記医療用具では、接続具と相手体との接続が可能となるように、これらのうちの一方を交換して、液体の流路を確保していた。【０００５】
【特許文献１】国際公開２００６／０６８２１１号パンフレット
【発明の開示】
【０００６】
本発明の目的は、コネクタに接続される相手体に応じて、当該コネクタを接続可能に変更することができる汎用性に富んだコネクタを提供することにある。
【０００７】
上記目的を達成するために、本発明は、
オス側内腔部を有する管状のオスコネクタ部と、前記オス側内腔部と連通するメス側内腔部を有し、当該メス側内腔部に前記オスコネクタ部と同様の他のオスコネクタ部が接続可能な管状のメスコネクタ部とを有する第１の構造体と、
前記第１の構造体に装着可能な装着部と、前記第１の構造体に装着された装着状態で前記オスコネクタ部と接続方向が互いに平行となるように隣接して配置されるオスロック部と、前記装着状態で前記メスコネクタ部と接続方向が互いに平行となるように隣接して配置され、前記オスロック部と同様の他のオスロック部が連結可能なメスロック部とを有する第２の構造体とを備え、
前記第１の構造体は、それを使用する際、前記第２の構造体を装着して使用されるかまたは前記第２の構造体を装着せずに使用されるかを選択し得るよう構成されていることを特徴とするコネクタである。
【０００８】
これにより、コネクタに接続される相手体に応じて、当該コネクタを接続可能に変更することができ、よって、汎用性に富んだコネクタとなる。
【０００９】
また、本発明のコネクタでは、前記第１の構造体は、該第１の構造体を使用する際のその相手体が前記他のオスコネクタ部と前記他のオスロック部とを有するものである場合には、前記第２の構造体を装着して使用されるのが好ましい。
【００１０】
これにより、コネクタを相手体に確実に接続することができる。
【００１１】
また、本発明のコネクタでは、前記メスコネクタ部の外周部には、ネジ部が形成されているのが好ましい。
【００１２】
これにより、他のオスコネクタ部がメスコネクタ部のネジ部と螺合可能なネジ部を有する場合には、これらのコネクタ部同士を確実に接続することができる
【００１３】
また、本発明のコネクタでは、前記オスコネクタ部には、該オスコネクタ部の開口部との中心軸同士がほぼ直交する、外形がほぼ柱状をなす柱状部が形成されており、
前記装着部は、前記オスロック部近傍に形成された、前記柱状部が嵌合可能な凹部と、前記オスコネクタ部が挿通可能な孔を有する板片で構成されているのが好ましい。
【００１４】
これにより、装着部を介して、第１の構造体が第２の構造体に固定されることとなる。
【００１５】
また、本発明のコネクタでは、前記装着部は、前記メスコネクタ部の外周部が嵌合可能なリング状をなすリング状部で構成されているのが好ましい。
【００１６】
これにより、装着部を介して、第１の構造体が第２の構造体に固定されることとなる。
【００１７】
また、本発明のコネクタでは、前記オスロック部は、オス側係合部が設けられ、互いに接近・離間可能な一対の爪部と、該両爪部が互いに離間するように付勢する付勢部とを有しており、
前記メスロック部は、前記オスロック部と同様の他のオスロック部のオス側係合部と係合可能なメス側係合部と、該オスロック部の両爪部を互いに接近させるように操作可能な操作部とを有するのが好ましい。
【００１８】
これにより、メスロック部と他のオスロック部とを確実に接続することができ、また、その接続した状態を確実に解除することができる。
【００１９】
また、本発明のコネクタでは、前記各爪部は、それぞれ、前記装着状態で前記オスコネクタ部と同方向に突出したものであるのが好ましい。
【００２０】
これにより、メスロック部に他のオスロック部を接続する際、その接続操作を容易に行なうことができる。
【００２１】
また、本発明のコネクタでは、前記各爪部は、それぞれ、前記装着状態で前記オスコネクタ部と反対方向に突出したものであるのが好ましい。
【００２２】
これにより、メスロック部に他のオスロック部を接続する際、その接続操作を容易に行なうことができる。
【００２３】
また、本発明のコネクタでは、前記メスコネクタ部と前記オスコネクタ部とは、それらの中心線が互いに平行で、かつ、前記メスコネクタ部の開口部と前記オスコネクタ部の開口部とが互いに反対の方向を向くように配置されているのが好ましい。
【００２４】
これにより、例えば、コネクタと相手体とを接続した際、これらをほぼ直線的に配置することができる。
【００２５】
また、本発明のコネクタでは、前記メスコネクタ部と前記オスコネクタ部とは、それらの中心線が互いにほぼ直交するように配置されているのが好ましい。
【００２６】
これにより、コネクタ内を通過する液体の流れの方向を変えることができる。
【００２７】
上記目的を達成するために、本発明は、
オス側内腔部を有する管状のオスコネクタ部を有する第１の構造体と、
前記第１の構造体に装着可能な装着部と、前記第１の構造体に装着された装着状態で前記オスコネクタ部と接続方向が互いに平行となるように隣接して配置されるオスロック部とを有する第２の構造体とを備え、
前記第１の構造体は、それを使用する際、前記第２の構造体を装着して使用されるかまたは前記第２の構造体を装着せずに使用されるかを選択し得るよう構成されていることを特徴とするコネクタである。
【００２８】
これにより、コネクタに接続される相手体に応じて、当該コネクタを接続可能に変更することができ、よって、汎用性に富んだコネクタとなる。
【００２９】
また、本発明のコネクタでは、前記第１の構造体は、該第１の構造体を使用する際のその相手体が前記他のオスコネクタ部を有するが前記他のオスロック部を有するものではない場合には、前記第２の構造体を装着せずに使用されるのが好ましい。
【００３０】
これにより、コネクタを相手体に確実に接続することができる。
【００３１】
また、本発明のコネクタでは、前記第１の構造体は、該第１の構造体に前記第２の構造体を一旦装着すると、該第２の構造体が取り外し不可能な構成となっているのが好ましい。
【００３２】
これにより、コネクタを使用しているとき、第１の構造体から第２の構造体が不本意に離脱するのを確実に防止することができる。
【図面の簡単な説明】
【００３３】
【図１】図１は、本発明のコネクタの第１実施形態を示す分解斜視図である。
【図２】図２は、図１に示すコネクタを矢印Ａ側から見た概略図である。
【図３】図３は、図１に示すコネクタを矢印Ｂ側から見た概略図である。
【図４】図４は、図１に示すコネクタの使用形態の一例を示す斜視図である。
【図５】図５は、図１に示すコネクタの使用形態の一例を示す斜視図である。
【図６】図６は、図４に示す使用形態のコネクタ（メスロック部）の接続過程を示す部分縦断面図である。
【図７】図７は、図４に示す使用形態のコネクタ（メスロック部）の接続解除過程を示す部分縦断面図である。
【図８】図８は、図１に示すコネクタが有する弁体の斜視図である。
【図９】図９は、図１に示すコネクタのメスコネクタ部の縦断面図である。
【図１０】図１０は、図４に示す使用形態のコネクタ（メスコネクタ部）の接続状態を示す縦断面図である。
【図１１】図１１は、図５に示す使用形態のコネクタ（メスコネクタ部）の接続状態を示す縦断面図である。
【図１２】図１２は、本発明のコネクタの第２実施形態を示す分解斜視図である。
【図１３】図１３は、本発明のコネクタの第３実施形態を示す分解斜視図である。
【図１４】図１４は、本発明のコネクタの第４実施形態を示す分解斜視図である。
【図１５】図１５は、本発明のコネクタの第５実施形態を示す分解斜視図である。
【図１６】図１６は、本発明のコネクタの第６実施形態を示す分解斜視図である。
【発明を実施するための最良の形態】
【００３４】
以下、本発明のコネクタを添付図面に示す好適な実施形態に基づいて詳細に説明する。
＜第１実施形態＞
図１は、本発明のコネクタの第１実施形態を示す分解斜視図、図２は、図１に示すコネクタを矢印Ａ側から見た概略図、図３は、図１に示すコネクタを矢印Ｂ側から見た概略図、図４および図５は、それぞれ、図１に示すコネクタの使用形態の一例を示す斜視図、図６は、図４に示す使用形態のコネクタ（メスロック部）の接続過程を示す部分縦断面図、図７は、図４に示す使用形態のコネクタ（メスロック部）の接続解除過程を示す部分縦断面図、図８は、図１に示すコネクタが有する弁体の斜視図、図９は、図１に示すコネクタのメスコネクタ部の縦断面図、図１０は、図４に示す使用形態のコネクタ（メスコネクタ部）の接続状態を示す縦断面図、図１１は、図５に示す使用形態のコネクタ（メスコネクタ部）の接続状態を示す縦断面図である。なお、以下では、説明の都合上、図１〜図５中（図１２〜図１４および図１６も同様）の右上側を「基端」、左下側を「先端」と言い、図６および図７中の右側を「基端」、左側を「先端」と言い、図８〜図１１（図１５も同様）中の上側を「基端」、下側を「先端」と言う。【００３５】
図１に示すコネクタ５Ａは、例えば生体（患者）に輸液を注入（投与）する際に、当該輸液が通過する流路（例えば、チューブ）同士を接続するものである。なお、輸液には、例えば、薬液、補正用電解質液、生理食塩水等、生体に投与し得るあらゆる液が含まれる。このコネクタ５Ａは、第１の構造体１Ａと、第２の構造体２Ａとを備えている。以下、各部の構成について説明する。【００３６】
第１の構造体１Ａは、オスコネクタ部６と、メスコネクタ部７Ａと、弁体５１とを有している。【００３７】
まず、オスコネクタ部６について説明する。
図１〜図５に示すように、オスコネクタ部６は、中空のオスコネクタ部本体（柱状部）６１と、オスコネクタ部本体６１と連通する管状部６２とを有している。【００３８】
オスコネクタ部本体６１は、外形形状がほぼ円柱状をなす部位である。
このオスコネクタ部６には、図１中（図４および図５も同様）下側に、外周部６１２の一部を欠損した一対の欠損部６１３が形成されている。各欠損部６１３は、それぞれ、平面状をなし、互いに平行に配置さている。【００３９】
管状部６２は、オスコネクタ部本体６１の外周部６１２から先端方向に向かって突出して形成されている。すなわち、管状部６２は、その中心軸がオスコネクタ部本体６１の中心軸と直交して形成されたものである。この管状部６２は、液体が通過する液体流路（オス側内腔部）６２１と、ルアーテーパ部６２２とを有している。
液体流路６２１は、オスコネクタ部本体６１内に連通している。【００４０】
ルアーテーパ部６２２は、オスコネクタ部６（管状部６２）の開口部６２３側の外周部に、その外径が開口部６２３の方向に向かって漸減するように形成されている。【００４１】
次に、メスコネクタ部７Ａについて説明する。
メスコネクタ部７Ａは、その形状が管状をなし、オスコネクタ部６と同様の構成の他のオスコネクタ部６が接続可能（嵌入可能）な部位である。ここで、「他のオスコネクタ部６」とは、例えば、図４では、コネクタ５Ａ’が有するオスコネクタ部６のことであり、図５では、コネクタ５Ｂが有するオスコネクタ部６のことである。【００４２】
図９〜図１１に示すように、メスコネクタ部７Ａは、メスコネクタ部本体７２と、蓋部（キャップ）７３とを備えている。【００４３】
図９（図１０および図１１も同様）に示すメスコネクタ部本体７２は、その先端部に、形状が有底筒状の弁体設置部７２１が形成されている。この弁体設置部７２１は、内部の基端側に第２の内腔部（メス側内腔部）７２３と、先端側に第２の内腔部７２３と連通する第３の内腔部（メス側内腔部）７２４とが形成されている。第２の内腔部７２３は、その内径が後述する蓋部７３に形成された第１の内腔部（メス側内腔部）７３１より拡径しており、第３の内腔部７２４（内周面７２８）は、その内径が第２の内腔部７２３より縮径している。この第３の内腔部７２４の内径は、後述する弁体５１の胴部５５（外周面５５１）の最大外径より若干大きいのが好ましい。【００４４】
また、メスコネクタ部本体７２の底面７２２の中心部には、管状体で構成された内部突起７２５が設けられている。図１０（図１１も同様）に示すように、コネクタ５Ａ’のオスコネクタ部６を第１の内腔部７３１（接続口７３２）に接続して、弁体５１が押圧され始めたとき、この内部突起７２５により、弁体５１の内部が支えられて、弁体５１に座屈が生じる（弁体５１がくの字状に折れる）のを防止することができる。また、液体がコネクタ５Ａ内を通過するに際し、液体の滞留が生じるのを防ぐことができる。【００４５】
また、この内部突起７２５は、その内腔がオスコネクタ部本体６１の内部に形成され、液体が通過可能な流路６１１（オスコネクタ部本体６１の中空部）に連通している。これにより、第２の内腔部７２３と第３の内腔部７２４とは、内部突起７２５を介して流路６１１に連通している。【００４６】
また、弁体設置部７２１の外周面７２６の先端側には、基端側より拡径した段差部７２７が設けられている。【００４７】
図９に示す蓋部７３は、内部に弁体５１を収納する空間（内腔部）を有し、メスコネクタ部本体７２の基端側（弁体設置部７２１）に連結されるものである。【００４８】
蓋部７３の内部には、後述する弁体５１の頭部５０が挿入可能な第１の内腔部７３１と、第１の内腔部７３１に連通し、第１の内腔部７３１より拡径した嵌合部７３３とが形成されている。【００４９】
第１の内腔部７３１は、その形状が弁体５１の頭部５０の外形に対応するよう形成されている。また、第１の内腔部７３１の基端側には、コネクタ５Ａ’やコネクタ５Ｂのオスコネクタ部６を接続するための接続口（接続部）７３２が形成されており、その径は、第１の内腔部７３１の先端側の径より縮径している。【００５０】
第１の内腔部７３１の内周面７３４には、軸方向に沿い、第１の内腔部７３１の径方向に突出した複数のリブ７３５が設けられている。コネクタ５Ａ’やコネクタ５Ｂのオスコネクタ部６をコネクタ５Ａ（接続口７３２）に接続したとき、このリブ７３５により、弁体５１が支えられて、弁体５１に座屈が生じる（弁体５１が倒れる）のを防止することができる。また、リブ７３５の個数は、特に限定されず、例えば、２〜１０個であるのが好ましく、４〜８つであるのがより好ましい。【００５１】
嵌合部７３３の先端側には、弁体設置部７２１の段差部７２７と嵌合する段差部７３６が形成されており、その径は、嵌合部７３３の基端側の径より拡径している。また、段差部７３６の内径は、弁体設置部７２１の段差部７２７の外径とほぼ同等またはそれより若干小さいのが好ましい。これにより、蓋部７３（段差部７３６）とメスコネクタ部本体７２（段差部７２７）とが強固に嵌合（連結）する（液密に接する）ことができ、よって、コネクタ５Ａの内部の液体が漏れるのを防止することができる。また、蓋部７３とメスコネクタ部本体７２とが連結した際、第１の内腔部７３１と第２の内腔部７２３とが連通し、第１の内腔部７３１、第２の内腔部７２３および第３の内腔部７２４で形成された空間に弁体５１を設置（収納）することができる。【００５２】
また、蓋部７３（メスコネクタ部７Ａ）の外周部には、雄ネジ部７３８が形成されている。【００５３】
また、メスコネクタ部本体７２と蓋部７３との固定方法としては、嵌合に限定されず、例えば、かしめ、接着剤による接着、熱融着、超音波融着等の融着等であってもよい。【００５４】
図１（図４および図５も同様）に示すように、メスコネクタ部７Ａは、オスコネクタ部本体６１（オスコネクタ部６）に対し、基端側に設けられている。すなわち、メスコネクタ部７Ａは、その中心線がオスコネクタ部６の中心線と平行で、かつ、メスコネクタ部７Ａの開口部７１とオスコネクタ部６の開口部６２３とが互いに反対の方向を向くように配置されている。これにより、例えば、コネクタ５Ａ、５Ａ’同士を接続した際、これらのコネクタ５Ａ、５Ａ’同士をほぼ直線的に配置することができる。【００５５】
図９〜図１１に示すように、メスコネクタ部７Ａ内には、弁体５１が収納（固定）されている。【００５６】
各弁体５１は、弾性材料で構成されている。この弾性材料としては、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマーが挙げられ、これらのうちの１種または２種以上を混合して用いることができる。このような弾性材料を用いることにより、弁体５１の頂面５１１に適度な弾性を得ることができ、よって、頂面５１１がコネクタ５Ａ’やコネクタ５Ｂのオスコネクタ部６の開口部（端部）６２３に密着ことができる（図１０、図１１参照）。【００５７】
図９に示すように、弁体５１は、頭部５０と、頭部５０の先端側に設けられた（形成された）胴部５５とを有している。【００５８】
頭部５０は、その形状が有底筒状をなしており、液体が通過可能な内腔部５１５と、平面状の頂面５１１（底部５１３）から内腔部５１５に到達するスリット５１２とが形成されている。このスリット５１２は、その形状がほぼ一文字状をなしている。スリット５１２の形状がこのように簡単な形状であることにより、より容易に（確実に）スリット５１２が開口する（開く）ことができる。また、頂面５１１が平面状をなしていることにより、頂面５１１（スリット５１２）を容易に消毒することができる。【００５９】
図９に示すように、頂面５１１は、メスコネクタ部７Ａの開口部７１から露出している。また、この頂面５１１は、メスコネクタ部７Ａの端面とほぼ同一平面上に位置している。【００６０】
図８に示すように、頭部５０は、その頂面５１１付近の外径が胴部５５に向って（軸方向に向って）漸増するテーパ状をなすテーパ部５６と、その先端に設けられた外径一定部５７とを有している。【００６１】
また、テーパ部５６には、テーパ部５６の一部を除去した切欠き部５６１が形成されている。すなわち、頭部５０には、テーパ部５６と外径一定部５７とをまたぐように除去した切欠き部５６１が形成されている。【００６２】
これにより、コネクタ５Ａに接続（挿入）されているオスコネクタ部６を抜去したとき、弁体５１（頭部５０）が蓋部７３の第１の内腔部７３１により容易に入り込むことができ、よって、より確実にスリット５１２が閉じることができる。【００６３】
また、頭部５０は、スリット５１２が閉じる際に押される、突出した２つの当接部５２を備えている。これら２つの当接部５２は、それぞれ、頭部５０の頂面５１１付近に形成され、スリット５１２が閉じる方向（図８中、矢印方向）と反対方向に突出している。【００６４】
このような当接部５２により、頭部５０が蓋部７３の第１の内腔部７３１に挿入されているとき、第１の内腔部７３１の内周面７３４が当接部５２を押圧するため、スリット５１２をより確実に閉じることができる（図９参照）。また、これにより、コネクタ５Ａ内の液体の圧力（内圧）に対する耐圧性を向上させることができる。【００６５】
以上のように構成された頭部５０は、コネクタ５Ａ’やコネクタ５Ｂのオスコネクタ部６が接続されていないとき、スリット５１２が閉じた状態で蓋部７３の第１の内腔部７３１に挿入されている（図９参照）。【００６６】
図８に示すように、胴部５５は、蛇腹状をなした筒状体で構成されている。すなわち、胴部５５は、外形において大径リング部５５２と小径リング部５５３とが軸方向に交互に配列された蛇腹状をなしている。このような胴部５５は、弁体５１をその先端側から基端側に向って（頭部５０が蓋部７３の第１の内腔部７３１に挿入される方向に）付勢する変形部（付勢手段）として機能している。【００６７】
このように胴部５５が変形部として機能していることにより、別途に付勢手段を構成するための部品をコネクタ５Ａに設ける必要がなく、部品点数の減少、構造の簡素化に寄与することができる。【００６８】
また、この胴部５５は、弁体５１がその先端側から基端側に向って復元する復元力の大半を担っているが、頭部５０がその復元力の一部を担っいてもよい。【００６９】
また、第１の構造体１Ａ（弁体５１を除く）の構成材料としては、特に限定されないが、例えば、ポリ塩化ビニル、ポリエチレン、ポリプロピレン、環状ポリオレフィン、ポリスチレン、ポリ−（４−メチルペンテン−１）、ポリカーボネート、アクリル樹脂、アクリルニトリル−ブタジエン−スチレン共重合体、ポリエチレンテレフタレート、ポリエチレンナフタレート等のポリエステル、ブタジエン−スチレン共重合体、ポリアミド（例えば、ナイロン６、ナイロン６・６、ナイロン６・１０、ナイロン１２）のような各種樹脂が挙げられる。【００７０】
図１に示すように、第２の構造体２Ａは、オスロック部８Ａと、メスロック部９Ａと、装着部３Ａとを有している。この第２の構造体２Ａは、第１の構造体１Ａに装着可能なものである。以下、第２の構造体２Ａが第１の構造体１Ａに装着された状態を「装着状態」と言う。【００７１】
まず、オスロック部８Ａについて説明する。
オスロック部８Ａは、基部（オスロック部本体）８１と、基部８１から突出する突出部８２と、突出部８２に設けられた一対の爪部８３Ａと、各爪部８３Ａを付勢する付勢部８４とを有している。【００７２】
基部８１は、その形状が長尺状をなしている。この基部８１の先端側には、先端方向に突出した突出部８２が形成されている。【００７３】
突出部８２の両側部には、それぞれ、爪部８３Ａが設けられている。
これらの爪部８３Ａは、それぞれ、装着状態で、オスコネクタ部６（管状部６２）と反対方向、すなわち、基端方向に向かって突出している。これにより、オスロック部８Ａは、全体として、幅が先端方向に向かって漸減したような形状となる（例えば、図６、図７参照）。よって、コネクタ５Ａのオスロック部８Ａを当該コネクタ５Ａとは別のメスロック部９Ａに挿入する際、その挿入操作を容易に行なうことができる。【００７４】
また、両爪部８３Ａは、それぞれの端部８３１が互いに接近・離間する。
各爪部８３Ａの端部８３１には、当該端部８３１の一部を切欠いた（欠損させた）ようなオス側係合部８３２が設けられている。【００７５】
付勢部８４は、突出部８２と各爪部８３Ａとの間に設けられている。この付勢部８４は、両爪部８３Ａのそれぞれの端部８３１（オス側係合部８３２）が互いに離間するように各爪部８３Ａを付勢する。【００７６】
このような構成のオスロック部８Ａは、装着状態で、オスコネクタ部６と対応する（隣接した）位置にある（図４参照）。また、オスロック部８Ａとオスコネクタ部６とは、それぞれ、同方向に向かって形成されている、すなわち、接続方向（突出方向）が互いに平行となっている。【００７７】
次に、メスロック部９Ａについて説明する。
図４に示すように、メスロック部９Ａは、オスロック部８Ａと同様の構成の他のオスロック部８Ａが連結可能な部位である。ここで、「他のオスロック部８Ａ」とは、例えば、コネクタ５Ａ’が有するオスロック部８Ａのことである（図４参照）。【００７８】
メスロック部９Ａは、基部８１（オスロック部８Ａ）に対し、基端側に設けられている。このメスロック部９Ａは、全体形状としてほぼ管状をなしている。【００７９】
図４、図６および図７に示すように、メスロック部９Ａには、コネクタ５Ａ’のオスロック部８Ａの各オス側係合部８３２と係合可能なメス側係合部９１と、接続されたコネクタ５Ａ’のオスロック部８Ａの各爪部８３Ａを操作可能な操作部９３とが設けられている。【００８０】
図６（図７も同様）に示すように、メス側係合部９１は、メスロック部９Ａの開口部９４側の内周部が先端方向に向って漸減するように形成されている。図６（ｃ）に示すように、メス側係合部９１の端部９１１が、コネクタ５Ａ’のオスロック部８Ａのオス側係合部８３２に係合することにより、コネクタ５Ａ（メスロック部９Ａ）とコネクタ５Ａ’（オスロック部８Ａ）とがロック状態となる。【００８１】
操作部９３は、メス側係合部９１に対して、先端側に設けられた小片で構成されている。この操作部９３は、ロック状態のコネクタ５Ａ’（オスロック部８Ａ）の両爪部８３Ａの端部８３１を互いに接近させるように、各爪部８３Ａ操作（押圧）する。【００８２】
また、操作部９３は、その外面がメス側係合部９１の外面とほぼ同一面上にあるように形成されている（図６参照）。これにより、操作部９３に対して不本意に触れる（押圧する）のを防止することができる。すなわち、ロック状態を不本意に解除するのを防止することができる。【００８３】
このような構成のメスロック部９Ａは、装着状態で、メスコネクタ部７Ａと対応する（隣接する）位置にある（図４参照）。また、メスロック部９Ａとメスコネクタ部７Ａとは、それぞれ、同方向に向かって形成されている、すなわち、接続方向（形成方向）が互いに平行となっている。【００８４】
次に、装着部３Ａについて説明する。
装着部３Ａは、第１の構造体１Ａが装着可能な部位である（図１および図４参照）。この装着部３Ａは、オスロック部８Ａの基部８１の図１中上面に形成された凹部３１と、同上面に突出形成された板片３２で構成されている。【００８５】
凹部３１は、その横断面形状が円弧状をなす部位である。この凹部３１には、装着状態で、第１の構造体２Ａのオスコネクタ部本体６１が嵌合する（図４参照）。【００８６】
また、板片３２は、オスロック部８Ａの基部８１に立設したものである。この板片３２は、当該板片３２を貫通する貫通孔３２１を有している。貫通孔３２１は、その内径が管状部６２のオスコネクタ部本体６１との根元付近の外径とほぼ同等に設定されている。図４に示すように、貫通孔３２１には、装着状態で、オスコネクタ部６の管状部６２が嵌合する（挿通する）。【００８７】
このように、装着部３Ａでは、装着状態で、第１の構造体１Ａが、オスコネクタ部本体６１とオスコネクタ部６の管状部６２との２箇所で固定されることとなる。これにより、コネクタ５Ａでは、一旦装着状態とすると、第１の構造体１Ａと第２の構造体２Ａとを分離不可能、すなわち、第１の構造体１Ａから第２の構造体２Ａが取り外し不可能となっている。よって、コネクタ５Ａを使用しているとき、すなわち、コネクタ５Ａとコネクタ５Ａ’とを接続しているとき、コネクタ５Ａの第１の構造体１Ａから第２の構造体２Ａが不本意に離脱するのを確実に防止することができる。【００８８】
また、凹部３１の基端側には、第２の構造体２Ａの長手方向に沿って、２本のガイドレール３３、３３が形成されている。コネクタ５Ａを装着状態とする際、第１の構造体１Ａのオスコネクタ部本体６１の各欠損部６１３をそれぞれ各ガイドレール３３に沿わせることができる。各欠損部６１３がそれぞれ各ガイドレール３３の終端に至ると、オスコネクタ部本体６１が凹部３１に配置される。また、これとほぼ同時に、管状部６２が板片３２の孔３２１に嵌合する。このように、各ガイドレール３３は、装着状態とする操作を補助する補助機能を有している。これにより、装着状態とする操作が円滑かつ容易となる。【００８９】
また、第２の構造体２Ａの凹部３１は、第１の構造体１Ａのオスコネクタ部本体６１の底面とほぼ同様の曲面を有しており、装着状態となっても、第１の構造体１Ａの管状部６２を軸として、第２の構造体２Ａが第１の構造体１Ａの周囲を回転することが可能となっている。【００９０】
また、第２の構造体２Ａの構成材料としては、特に限定されないが、例えば、第１の構造体１Ａについての説明で挙げたような構成材料を用いることができる。【００９１】
次に、コネクタ５Ａの使用方法について説明するが、その前に、コネクタ５Ａに接続される相手体について説明する。相手体としては、前述したように、例えば、図４に示すコネクタ５Ａ’や、図５に示すコネクタ５Ｂが挙げられる。【００９２】
図４に示すように、コネクタ５Ａ’は、コネクタ５Ａと同様のオスコネクタ部６およびオスロック部８Ａを有するものである。また、コネクタ５Ａ’では、オスコネクタ部６とオスロック部８Ａとの配置関係もコネクタ５Ａと同様、すなわち、オスコネクタ部６とオスロック部８Ａとが同方向に突出しており、互いに隣接している。【００９３】
図５に示すように、コネクタ５Ｂは、コネクタ５Ａと同様のオスロック部８Ａを有してはいないが、コネクタ５Ａと同様のオスコネクタ部６を有し、さらに、オスコネクタ部６の管状部６２の外周側に配置されたルアーロック部材４とを有するものである。ルアーロック部材４は、有底筒状をなすものである。このルアーロック部材４の底部は、オスコネクタ部６の管状部６２に対して回転可能に支持されている。また、ルアーロック部材４の内周面には、コネクタ５Ａのメスコネクタ部７Ａの雄ネジ部７３８と螺合可能な雌ネジ部４１が形成されている。【００９４】
さて、コネクタ５Ａでは、第１の構造体１Ａを使用する際、その相手体によって、第２の構造体２Ａを装着して（装着状態で）使用する（図４に示す状態）かまたは第２の構造体２Ａを装着せずに使用する（図５に示す状態）か、または、第２の構造体２Ａを装着したものと装着しないものとの組み合わせて使用する（図示せず）かを選択することができる。【００９５】
換言すれば、コネクタ５Ａでは、当該コネクタ５Ａの相手体として、コネクタ５Ａ’である場合（以下、この場合を「第１の場合」と言う）には、第１の構造体１Ａは、第２の構造体２Ａを装着して（装着状態で）使用することができる。また、コネクタ５Ａの相手体として、相手体としてコネクタ５Ｂである場合（以下、この場合を「第２の場合」と言う）には、第１の構造体１Ａは、第２の構造体２Ａを装着せずに（非装着状態で）使用することができる。また、既に他のコネクタやチューブと接続されているコネクタ５Ａの相手体としてコネクタ５Ｂである場合（以下、この場合を「第３の場合」と言う）には、第１の構造体１Ａは、第２の構造体２Ａを装着して（装着状態で）使用することができる。
以下、各場合のそれぞれのコネクタ同士の接続過程（使用形態（使用方法））について説明する。【００９６】
[１]  第１の場合
図４に示すように、コネクタ５Ａは、装着状態となっている。図６（ａ）に示すように、この装着状態のコネクタ５Ａとコネクタ５Ａ’とが互いに離間した状態から、コネクタ５Ａ’のオスロック部８Ａをコネクタ５Ａのメスロック部９Ａに接近させる。【００９７】
図６（ｂ）に示すように、コネクタ５Ａ’のオスロック部８Ａがコネクタ５Ａのメスロック部９Ａ内に挿入されるのに伴って、コネクタ５Ａのメス側係合部９１がコネクタ５Ａ’の付勢部８４の付勢力に抗して、コネクタ５Ａ’の爪部８３Ａを押圧する。【００９８】
この状態から、コネクタ５Ａ’のオスロック部８Ａとコネクタ５Ａのメスロック部９Ａとをさらに接近させると、コネクタ５Ａ’のオス側係合部８３２がコネクタ５Ａのメス側係合部９１に係合する、すなわち、コネクタ５Ａ（メスロック部９Ａ）とコネクタ５Ａ’（オスロック部８Ａ）とがロック状態となる（図６（ｃ）参照）。【００９９】
コネクタ５Ａおよびコネクタ５Ａ’のそれぞれの第２の構造体２Ａは、それぞれの第１の構造体１Ａの周囲を軸回転することができる。このことにより、コネクタ５Ａまたはコネクタ５Ａ’の使用（設置）する位置を変更する場合等で、第１の構造体１Ａに対する第２の構造体２Ａの位置を変更しなければならない場合（例えば、第１の構造体１Ａの底面に位置する第２の構造体２Ａを上面に位置するように変更する場合。）においても、接続されているチューブを捩ることなくそれぞれの第２の構造体２Ａの位置を揃えて接続することができる。【０１００】
また、コネクタ５Ａとコネクタ５Ａ’とがロック状態のときに、コネクタ５Ａの第２の構造体２Ａとコネクタ５Ａ’の第２の構造体２Ａとは、ロックされた状態で、コネクタ５Ａの第１の構造体１Ａとコネクタ５Ａ’の第１の構造体１Ａの周囲を軸回転することができる。このことにより、コネクタ５Ａとコネクタ５Ａ’とを接続した状態でその使用（設置）する位置を変更する場合等で、第１の構造体１Ａに対する第２の構造体２Ａの位置を変更しなければならない場合（例えば、第１の構造体１Ａの底面に位置する第２の構造体２Ａを上面に位置するように変更する場合。）においても、接続されているチューブを捩ることなく変更することができる。【０１０１】
また、図１０に示すように、ロック状態のとき、コネクタ５Ａ’のオスコネクタ部６の開口部６２３がコネクタ５Ａの頭部５０の頂面５１１を軸方向に押圧している。これにより、胴部５５が軸方向に変形し（圧縮され）、頭部５０が第１の内腔部７３１から移動して、第２の内腔部７２３に入り込む。頭部５０は、それまで第１の内腔部７３１内で第１の内腔部７３１の内周面７３４に規制されていたが、第２の内腔部７２３に移動したことにより、頭部５０の外周面の規制が解除または緩和され、その結果、軸方向の圧縮により、図１０中の矢印方向に充分に拡径することができる、すなわち、充分に変形することができる。従って、スリット５１２が確実かつ充分に開く（開口する）ことができる。また、これにより、弁体５１（スリット５１２）を介して、コネクタ５Ａ’のオスコネクタ部６の液体流路６２１と、コネクタ５Ａのメスコネクタ部７Ｂの内部突起７２５の内腔部（中空部）とが連通する、すなわち、流通可能に接続され、よって、例えば、輸液、輸血、栄養投与等の際、液体が円滑に通過することができる。【０１０２】
また、ロック状態のとき、弁体５１の胴部５５の付勢力に抗して、コネクタ５Ａ’のオスコネクタ部６の開口部６２３が弁体５１の頭部５０を押圧するため、当該オスコネクタ部６の開口部６２３と頭部５０（弁体５１）の頂面５１１とが密着する（図１０参照）。これにより、オスコネクタ部６とメスコネクタ部７Ｂとの接続の液密性を保持することができる、すなわち、これらを確実に液密に接続することができる。【０１０３】
また、コネクタ５Ａ’とコネクタ５Ａとのロック状態の解除は、コネクタ５Ａの操作部９３を操作することにより行われる。【０１０４】
換言すれば、図７（ａ）に示すロック状態から、図７（ｂ）に示すように、コネクタ５Ａの操作部９３でコネクタ５Ａ’の爪部８３Ａを押圧する。これにより、コネクタ５Ａのメス側係合部９１と、コネクタ５Ａ’のオス側係合部８３２との係合が外れる（解除される）。【０１０５】
その後、図７（ｃ）に示すように、コネクタ５Ａ’を引くと、コネクタ５Ａ’とコネクタ５Ａとが互いに離間する。【０１０６】
［２］  第２の場合
第１の構造体１Ａ（コネクタ５Ａ）とコネクタ５Ｂとが互いに離間した状態から、コネクタ５Ｂのオスコネクタ部６（ルアーロック部材４）を第１の構造体１Ａのメスコネクタ部７Ａに接近させる。これに伴い、第１の構造体１Ａのメスコネクタ部７Ａの雄ネジ部７３８と、コネクタ５Ｂのルアーロック部材４の雌ネジ部４１とが螺合することとなる（図１１参照）。これにより、第１の構造体１Ａとコネクタ５Ｂとがロック状態となる。【０１０７】
また、このロック状態では、前記第１の場合と同様に、第１の構造体１Ａとコネクタ５Ｂとが液密に接続される（図１１参照）。これにより、第１の構造体１Ａおよびコネクタ５Ｂを介して、例えば、輸液、輸血、栄養投与等の際、液体が円滑に通過することができる。【０１０８】
また、第１の構造体１Ａとコネクタ５Ｂとのロック状態の解除は、コネクタ５Ｂのルアーロック部材４を緩める（第１の構造体１Ａのメスコネクタ部７Ａとの螺合を解除する）ことにより行なわれる。【０１０９】
［３］  第３の場合
コネクタ５Ａは、装着状態となっており、チューブ等と接続され、既に液等が流れるのが可能な状態となっている。以下、第２の場合と同様に、コネクタ５Ａとコネクタ５Ｂとが互いに離間した状態から、コネクタ５Ａとコネクタ５Ｂとをロック状態とすることができる。【０１１０】
以上述べたように、コネクタ５Ａでは、当該コネクタ５Ａに接続される相手体に応じて、コネクタ５Ａを適宜変更する、すなわち、コネクタ５Ａを装着状態または非装着状態で使い分けることができる。これにより、コネクタ５Ａと相手体とを確実に接続することができ、よって、これらを介しての液体の往来が可能となる。【０１１１】
従って、コネクタ５Ａは、それを使用する際の汎用性に富んだものとなっていると言うことができる。【０１１２】
なお、図２（図１も同様）に示すように、オスロック部８Ａの突出部８２には、その長手方向に沿って、溝８５とリブ８６とが形成されているのが好ましい。また、図３に示すように、メスロック部９Ａの開口部９４には、メスロック部９Ａの長手方向に沿って、リブ９５と溝９６が形成されているのが好ましい。【０１１３】
溝８５は、突出部８２の図２中下側の面に凹没形成されている。リブ８６は、突出部８２の図２中上側の面に突出形成されている。【０１１４】
リブ９５は、開口部９４の図３中下側の面に突出形成されている。溝９６は、開口部９４の図３中上側の面に凹没形成されている。【０１１５】
前記第１の場合、コネクタ５Ａとコネクタ５Ａ’とを接続する際、コネクタ５Ａのメスロック部９Ａの溝９６が、コネクタ５Ａ’のオスロック部８Ａのリブ８６が入り込む（嵌合する）。また、これとともに、コネクタ５Ａのメスロック部９Ａのリブ９５が、コネクタ５Ａ’のオスロック部８Ａの溝８５が入り込む（嵌合する）。【０１１６】
このような接続が可能であることにより、コネクタ５Ａのメスロック部９Ａに対する、コネクタ５Ａ’のオスロック部８Ａの図４中の上下方向の向きを誤るのを防止することができる。【０１１７】
＜第２実施形態＞
図１２は、本発明のコネクタの第２実施形態を示す分解斜視図である。【０１１８】
以下、この図を参照して本発明のコネクタの第２実施形態について説明するが、前述した実施形態との相違点を中心に説明し、同様の事項はその説明を省略する。
本実施形態は、装着部の構成が異なること以外は前記第１実施形態と同様である。【０１１９】
図１２に示すコネクタ５Ｃの第１の構造体１Ｂは、オスコネクタ部本体６１Ａが、管状部６２より拡径したものとなっている。【０１２０】
また、第２の構造体２Ｂは、第１の構造体１Ｂが装着される装着部（リング状部）３Ｂを有している。この装着部３Ｂは、メスロック部９Ａ近傍に配置されている。また、装着部３Ｂは、その形状がリング状をなすものであり、内側は、メスルアーロックと係合可能なネジの形状となっており、その中心軸が第２の構造体２Ｂの長手方向と平行となっている。【０１２１】
このような構成のコネクタ５Ｃでは、装着状態で、第１の構造体１Ｂのメスコネクタ部７Ａの外周部が、第２の構造体２Ｂの装着部３Ｂに嵌合する。これにより、第１の構造体１Ｂに第２の構造体２Ｂが確実に固定される。従って、コネクタ５Ｃは、一旦装着状態とすると、第１の構造体１Ｂと第２の構造体２Ｂとを分離不可能となっている。これにより、コネクタ５Ｂを装着状態で使用しているとき、第１の構造体１Ｂから第２の構造体２Ｂが不本意に離脱するのを確実に防止することができる。
また、言うまでもないが、コネクタ５Ｃは、非装着状態でも用いることができる。【０１２２】
＜第３実施形態＞
図１３は、本発明のコネクタの第３実施形態を示す分解斜視図である。【０１２３】
以下、この図を参照して本発明のコネクタの第３実施形態について説明するが、前述した実施形態との相違点を中心に説明し、同様の事項はその説明を省略する。【０１２４】
本実施形態は、メスコネクタ部およびメスロック部のそれぞれの形成数が異なること以外は前記第１実施形態と同様である。【０１２５】
図１３に示すコネクタ５Ｄの第１の構造体１Ｃは、メスコネクタ部７Ａの他に、メスコネクタ部７Ｂをさらに有している。このメスコネクタ部７Ｂは、メスコネクタ部７Ａと同様の構成であるため、その説明を省略する。【０１２６】
メスコネクタ部７Ｂは、メスコネクタ部７Ａとは異なる方向に設けられている。すなわち、メスコネクタ部７Ｂは、その中心線がメスコネクタ部７Ａ（オスコネクタ部６も同様）の中心線とほぼ直交するように設けられている。【０１２７】
このようなメスコネクタ部７Ａおよび７Ｂが設けられていることにより、異なる２方向から液体をオスコネクタ部６へ送ることができたり、オスコネクタ部６からの液体を異なる２方向へ分岐させたりすることができる。【０１２８】
また、第１の構造体１Ｃは、オスコネクタ部６がメスコネクタ部７Ａに対して着脱自在に構成されている。【０１２９】
すなわち、第１の構造体１Ｃでは、オスコネクタ部６の管状のオスコネクタ部本体６１Ｂの外周部に雄ネジ部６１４が形成されており、メスコネクタ部７Ａのメスコネクタ部本体７２の外周側に雌ネジ部７２９が形成されている。雄ネジ部６１４と雌ネジ部７２９との螺合、その解除により、オスコネクタ部６をメスコネクタ部７Ａに対して着脱することができる。【０１３０】
また、第２の構造体２Ｃは、メスロック部９Ａの他に、メスロック部９Ｂをさらに有している。このメスロック部９Ｂは、メスロック部９Ａと同様の構成であるため、その説明を省略する。【０１３１】
メスロック部９Ｂは、装着状態で、第１の構造体１Ｃのメスコネクタ部７Ｂと対応する位置に配置されている。すなわち、メスロック部９Ｂは、その中心線がメスロック部９Ａ（オスロック部８Ａも同様）の中心線とほぼ直交するように設けられている。【０１３２】
なお、メスコネクタ部およびメスロック部のそれぞれの形成数は、２つであるのに限定されず、例えば、３つ以上であってもよい。【０１３３】
＜第４実施形態＞
図１４は、本発明のコネクタの第４実施形態を示す分解斜視図である。【０１３４】
以下、この図を参照して本発明のコネクタの第４実施形態について説明するが、前述した実施形態との相違点を中心に説明し、同様の事項はその説明を省略する。【０１３５】
本実施形態は、第２の構造体の形状が異なること以外は前記第２実施形態と同様である。【０１３６】
図１４に示すコネクタ５Ｅの第２の構造体２Ｄは、筒状をなす装着部３Ｃと、装着部３Ｃの外周側に設けられたオスロック部８Ｂおよびメスロック部９Ｃとを有している。【０１３７】
装着部３Ｃには、装着状態で、第１の構造体１Ｂのメスコネクタ部７Ａの外周部が嵌合する。【０１３８】
オスロック部８Ｂは、装着部３Ｃを介して対向配置された一対の爪部８３Ｂ、８３Ｂと、各爪部８３Ｂを付勢する付勢部８４Ａとを有している。【０１３９】
各爪部８３Ｂは、それぞれ、先端方向に向かって突出した、すなわち、装着状態でオスコネクタ部６と同方向に突出した板片で構成されている。【０１４０】
また、各爪部８３Ｂには、その途中で厚さが急峻に変化した段差部が形成されている。この段差部は、メスロック部９Ｃと同様の構成の他のメスロック部９Ｃと係合するオス側係合部８３２として機能する部位である。【０１４１】
付勢部８４Ａは、装着部３Ｃと各爪部８３Ｂとの間に位置し、これらを連結している。
このような構成のオスロック部８Ｂでは、付勢部８４Ａの付勢力に抗して爪部８３Ｂ同士を接近させたり、接近した爪部８３Ｂ同士が付勢部８４Ａによって離間したりする。【０１４２】
また、オスロック部８Ｂにより、コネクタ５Ｅは、装着状態で、他のメスロック部９Ｃを有する相手体と確実にロック状態となる。【０１４３】
また、オスロック部８Ｂは、装着状態で管状部６２の外側を覆う、湾曲した板片状の一対のつば部８７を有している。装着状態で各つば部８７がそれぞれ管状部６２の外側を覆うことより、接続操作等を行なう際、管状部６２を直接指先等で触れるのを防止したり、管状部６２を保護したりすることができる。【０１４４】
また、メスロック部９Ｃは、装着状態のコネクタ５Ｅと同様の他のコネクタ（図示せず）の各つば部８７が挿入される管状のつば受け部９７を有している。装着状態のコネクタ５Ｅと、前記コネクタ５Ｅと同様の他のコネクタとを接続するとき、コネクタ５Ｅのつば受け部９７に沿って、前記他のコネクタのつば部８７が挿入され、コネクタ５Ｅの向きを強制的に位置決めし、さらに進めて行くと、他のコネクタの管状部６２がコネクタ５Ｅの開口部７１に位置決めされるように挿入される。このことにより、接続するときの位置決めを容易に行なうことができる。【０１４５】
メスロック部９Ｃは、オスロック部８Ｂと同様の構成の他のオスロック部８Ｂが接続される部位である。このメスロック部９Ｃは、他のオスロック部８Ｂのオス側係合部８３２が係合するメス側係合部９１を有している。【０１４６】
このようなメスロック部９Ｃにより、コネクタ５Ｅは、装着状態で、他のオスロック部８Ｂを有する相手体と確実にロック状態となる。【０１４７】
＜第５実施形態＞
図１５は、本発明のコネクタの第５実施形態を示す分解斜視図である。【０１４８】
以下、この図を参照して本発明のコネクタの第５実施形態について説明するが、前述した実施形態との相違点を中心に説明し、同様の事項はその説明を省略する。
本実施形態は、装着部の構成が異なること以外は前記第４実施形態と同様である。【０１４９】
図１５に示すコネクタ５Ｆの第１の構造体１Ｄには、オスコネクタ部６の外周部に雌ネジ部６３が設けられている。【０１５０】
また、第２の構造体２Ｅの装着部３Ｄの内周部には、第１の構造体１Ｄの雌ネジ部６３と螺合可能な雄ネジ部３４が設けられている。【０１５１】
コネクタ５Ｆでは、雌ネジ部６３と雄ネジ部３４とが螺合することにより、確実に装着状態となる。【０１５２】
＜第６実施形態＞
図１６は、本発明のコネクタの第６実施形態を示す分解斜視図である。【０１５３】
以下、この図を参照して本発明のコネクタの第６実施形態について説明するが、前述した実施形態との相違点を中心に説明し、同様の事項はその説明を省略する。【０１５４】
本実施形態は、メスコネクタ部およびメスロック部がそれぞれ省略されていること以外は前記第４実施形態と同様である。【０１５５】
図１６に示すコネクタ５Ｇの第１の構造体１Ｅでは、メスコネクタ部が省略されており、その代わりに、オスコネクタ部６の管状部６２と連通する管状部６２Ａ（第２の管状部）が設けられている。管状部６２Ａは、ルアーテーパ部６２２を有し、オスコネクタ部本体６１Ａの先端方向に向かって、その外径が漸増し、さらに、段差部６４１、６４２を有している。段差部６４１、６４２は、主に軟質チューブ等を管状部６２Ａに挿入して用いる際に、軟質チューブ等の抜け止めのために設けられており、嵌合強度が十分な場合には、省略されていてもよい。【０１５６】
また、オスコネクタ部６のオスコネクタ部本体６１Ａには、フランジ部６１５が形成されている。【０１５７】
第２の構造体２Ｆでは、メスロック部が省略されている。
また、この第２の構造体２Ｆの装着部３Ｅは、第１の構造体１Ｅのフランジ部６１５に係合可能な一対の係合片３５、３５を有している。各係合片３５は、互いに接近する方向へ（内側へ）傾倒している。また、各係合片３５は、それぞれ、付勢部８４Ａに配置されている。【０１５８】
以上、本発明のコネクタを図示の実施形態について説明したが、本発明は、これに限定されるものではなく、コネクタを構成する各部は、同様の機能を発揮し得る任意の構成のものと置換することができる。また、任意の構成物が付加されていてもよい。【０１５９】
また、本発明のコネクタは、前記各実施形態のうちの、任意の２以上の構成（特徴）を組み合わせたものであってもよい。【０１６０】
また、本発明のコネクタに接続される相手体としては、前記第１実施形態で挙げたようなコネクタであるのに限定されず、例えば、輸液回路、輸血回路、人工肺回路、人工透析回路、腹膜透析回路、栄養回路等のコネクタ付きのチューブ類、またそれらと血管や腹膜内、鼻、腸等に留置されるカテーテル類、さらには、留置針、翼状針等の針類、プレフィルドシリンジ、シリンジ、輸液バッグの混注ポート等、医療用、食品用等を代表とする液体類の接続に係わるコネクタ等が挙げられる。
【産業上の利用可能性】
【０１６１】
本発明のコネクタは、オス側内腔部を有する管状のオスコネクタ部と、前記オス側内腔部と連通するメス側内腔部を有し、当該メス側内腔部に前記オスコネクタ部と同様の他のオスコネクタ部が接続可能な管状のメスコネクタ部とを有する第１の構造体と、前記第１の構造体に装着可能な装着部と、前記第１の構造体に装着された装着状態で前記オスコネクタ部と接続方向が互いに平行となるように隣接して配置されるオスロック部と、前記装着状態で前記メスコネクタ部と接続方向が互いに平行となるように隣接して配置され、前記オスロック部と同様の他のオスロック部が連結可能なメスロック部とを有する第２の構造体とを備え、前記第１の構造体は、それを使用する際、前記第２の構造体を装着して使用されるかまたは前記第２の構造体を装着せずに使用されるかを選択し得るよう構成されている。そのため、コネクタに接続される相手体に応じて、当該コネクタを適宜変更する、すなわち、コネクタを、第１の構造体に第２の構造体を装着した状態と、第１の構造体に第２の構造体を装着しない状態とに、使い分けることができる。換言すれば、コネクタに接続される相手体に応じて、当該コネクタの使用形態を変更することができる。これにより、コネクタと相手体とを確実に接続することができ、よって、これらを介しての、例えば、輸液等のような液体の往来が可能となる。このように、コネクタは、それを使用する際の汎用性に富んだものとなっている。従って、本発明のコネクタは、産業上の利用可能性を有する。
【図１】
2008062742.tif 000003
【図２】
2008062742.tif 000004
【図３】
2008062742.tif 000005
【図４】
2008062742.tif 000006
【図５】
2008062742.tif 000007
【図６】
2008062742.tif 000008
【図７】
2008062742.tif 000009
【図８】
2008062742.tif 000010
【図９】
2008062742.tif 000011
【図１０】
2008062742.tif 000012
【図１１】
2008062742.tif 000013
【図１２】
2008062742.tif 000014
【図１３】
2008062742.tif 000015
【図１４】
2008062742.tif 000016
【図１５】
2008062742.tif 000017
【図１６】
2008062742.tif 000018
【国際調査報告】
2008062742.tif 000019
2008062742.tif 000020